(57)【要約】      （修正有）【課題】如何なる高さのボルトを使用したとしてもつば部が一定の位置に配置され、そのことにより操作性が良好なソケットレンチを提供する。【解決手段】ソケットレンチ１先端に設けられたボルト頭を収容する収容部６と、収容部奥側に設けられた磁石内蔵マグネットホルダー２とを有するソケットレンチにおいて、マグネットホルダーが、ソケットレンチの軸方向に延在するように設けられた一対の弾性体Ａ，Ｂにより保持され、弾性体の力がバランスする点をマグネットホルダー原点位置とする一方、収容部へのボルト頭等の挿入時、マグネットホルダーに内蔵された磁石にボルト等が吸着され、かつマグネットホルダーが軸方向に摺動可能であり、また収容部からのボルト頭等の取出し時、マグネットホルダーが原点位置に復帰可能である。【選択図】図１
2006281427.tif 000002
【特許請求の範囲】
【請求項１】
ソケットレンチ先端に設けられたボルト頭を収容する収容部と、該収容部奥側に設けられた磁石内蔵マグネットホルダーとを有するソケットレンチにおいて、
マグネットホルダーが、上記ソケットレンチの軸方向に延在するように設けられた一対の弾性体により保持され、弾性体の力がバランスする点をマグネットホルダー原点位置とする一方、上記収容部へのボルト頭等の挿入時、マグネットホルダーに内蔵された磁石にボルト等が吸着され、かつ上記マグネットホルダーが軸方向に摺動可能であり、また上記収容部からのボルト頭等の取出し時、上記マグネットホルダーが上記原点位置に復帰可能であることを特徴とするソケットレンチ。
【請求項２】
ナットヘのボルトネジの螺入時ナットからボルトネジが突出するに伴い、上記マグネットホルダーが軸方向奥側に後退可能であることを特徴とする請求項１記載のソケットレンチ。
【請求項３】
ソケットレンチ先端に設けられたボルト頭を収容する収容部と、該収容部奥側に設けられた磁石内蔵マグネットホルダーとを有するソケットレンチにおいて、
上記マグネットホルダーが弾性体により保持され、上記弾性体が無負荷状態にある点をマグネットホルダーの原点位置とする一方、上記収容部へのボルト頭等の挿入時、マグネットホルダーに内蔵された磁石にボルト等が吸着され、かつ上記マグネットホルダーが軸方向に摺動可能であり、また上記収容部からのボルト頭等の取出し時、上記マグネットホルダーが上記原点位置に復帰可能であることを特徴とするソケットレンチ。
【請求項４】
上記マグネットホルダーの原点位置がボルトの略最大厚さの位置にあり、最大厚さより薄いボルト頭を上記収容部へ挿入する時、マグネットホルダーに内蔵された磁石によりマグネットホルダーがソケットレンチ先端側へ移動可能であり、また上記収容部からのボルト頭等の取出し時、上記マグネットホルダーが上記原点位置に復帰可能であることを特徴とする請求項３記載のソケットレンチ。
【請求項５】
上記マグネットホルダーが、マグネットホルダーの軸方向に空洞部を有し、上記収容部にナットが挿入され、さらにボルトネジがナットヘ螺入されナットからボルトネジが突出するに伴い、ボルトネジがマグネットホルダーの空洞部に進入可能であることを特微とする請求項１〜４のいずれかに記載のソケットレンチ。
【請求項６】
上記弾性体が、上記マグネットホルダーの外周を覆うように形成された、収縮可能なコイル状バネであることを特徴とする請求項１〜５のいずれかに記載のソケットレンチ。
【発明の詳細な説明】
【技術分野】
【０００１】
本発明は、ソケットレンチ内のマグネットホルダーに内蔵された磁石によりナットやボルト等の鋼材を吸着することができ、ナットやボルト等の鋼材の脱落を防止することができるソケットレンチに関する。
【背景技術】
【０００２】
ソケットレンチは、例えばボルトを、当該ソケットレンチ先端に設けられた収容部に挿入し、当該ソケットレンチを回転させることにより、ボルト等をねじ穴に螺着させるためのものである。
このようなソケットレンチとして、ソケットレンチの先端に設けられた収容部に磁石嵌着孔を設け、この磁石嵌着孔に永久破石を嵌着し、ボルト等の銅材の脱落防止を図ったものがある（特許文献１）。
【特許文献１】特開平９-１０９０４５号公報
【発明の開示】
【発明が解決しようとする課題】
【０００３】
しかしながら、ソケットレンチの先端に設けられた収容部に磁石嵌着孔を設け、この磁石嵌着孔に永久磁石を嵌着したソケットレンチでは、ボルト頭やナットの厚さが大きいものを収容部に挿入した場合、ボルト頭の下端部がボルト頭の収容部に完全に挿入されることがないため、また、上記磁石嵌着孔に挿入された永久磁石は、上記収容部に挿入されたボルトの側面に対して垂直に設けられ、ボルトが磁石に対して横方向に動きやすいため、上記ボルトがボルト頭の収容部から脱落しやすく、ソケットレンチの操作性が良好でないという問題があった。
【０００４】
さらに、ソケットレンチの先端部に設けられた収容部の奧側に空洞部分が形成されていないようなソケットレンチにおいては、ナットにボルトを螺入させる際、ナットからボルトの先端部分が突出するに伴い、ボルト先端部分が収容部の奧側端面を押圧するため、ナットが収容部から外れるという問題があった。
【０００５】
そこで、本発明は、如何なる高さのボルトを使用したとしてもボルトが脱落しにくく、またナットにボルトを螺入させる際においてもナットが収容部から外れることがなく、操作性が良好なソケットレンチを提供することを目的とする。
【課題を解決するための手段】
【０００６】
本発明者らは、ソケットレンチの軸方向に対して上下に弾性体を設け、ボルト頭収容部の深さをボルト頭またはナットの最大厚さとすることにより、つば部を有するボルト等をソケットレンチの収容部に挿入させた場合、上記つば部がソケットレンチ先端部に接触した状態で、マグネットホルダーが、これに内蔵された磁石の吸着により、上記ボルト等の方向に移動し、そのまま上記ボルトやナットを吸着保持するため、つば部とソケットレンチの先端部との間に隙間を作らず、それによりボルト等がソケットレンチから外れにくく、ソケットレンチの操作性が良好となることを見出した。
【０００７】
また、上記の上下に設けられた弾性体のうち、マグネットホルダー後端部と収容部の奧側に設けられた中空孔の端面との間の弾性体により、ナットにボルトを螺入させる際、ナットからボルトネジの先端部分が突出するに伴い、マグネットホルダーがボルトネジの動きを吸収し、ボルトネジの先端部分が、収容部の奧側に形成された中空孔の奧側端面を押圧しないため、ナットが収容部から外れることがないことを見出し、本発明を完成するに至った。
【０００８】
したがって、本発明は、ソケットレンチ先端に設けられたボルト頭を収容する収容部と、該収容部奥側に設けられた磁石内蔵マグネットホルダーとを有するソケットレンチにおいて、
マグネットホルダーが、上記ソケットレンチの軸方向に延在するように設けられた一対の弾性体により保持され、弾性体の力がバランスする点をマグネットホルダー原点位置とする一方、上記収容部へのボルト頭等の挿入時、マグネットホルダーに内蔵された磁石にボルト等が吸着され、かつ上記マグネットホルダーが軸方向に摺動可能であり、また上記収容部からのボルト頭等の取出し時、上記マグネットホルダーが上記原点位置に復帰可能であることを特徴とする。
本発明によれば、上下二段に設けられた弾性体によりマグネットホルダーが保持されているので、マグネットの吸着力が小さくてもマグネットホルダーは作動可能である。また、ナットやボルト等が収容部に挿入され、マグネットホルダーがソケットレンチの奧側に押し込まれる場合にも、マグネットホルダーに内蔵された磁石によりマグネットホルダーがソケットレンチ先端側へ呼び込まれる場合にも使用することができる。さらに、ナットにボルトを螺入させ、ナットからボルトネジの先端部分が突出する場合にも使用することができる。
【０００９】
本発明に係るソケットレンチは、ナットヘのボルトネジの螺入時ナットからボルトネジが突出するに伴い、上記マグネットホルダーが軸方向奥側に後退可能であることを特徴とする。
【００１０】
また、本発明は、ソケットレンチ先端に設けられたボルト頭を収容する収容部と、該収容部奥側に設けられた磁石内蔵マグネットホルダーとを有するソケットレンチにおいて、
上記マグネットホルダーが弾性体により保持され、上記弾性体が無負荷状態にある点をマグネットホルダーの原点位置とする一方、上記収容部へのボルト頭等の挿入時、マグネットホルダーに内蔵された磁石にボルト等が吸着され、かつ上記マグネットホルダーが軸方向に摺動可能であり、また上記収容部からのボルト頭等の取出し時、上記マグネットホルダーが上記原点位置に復帰可能であることを特徴とする。
【００１１】
このような構成とすることにより、マグネットホルダーの原点位置をボルト頭の略最大厚さの位置とする場合においては、つば付のボルトやナット等を収容部に挿入したとき、ボルト頭の下端に設けられたつば部がソケットレンチの収容部の先端に接触したまま、マグネットホルダーに内蔵された磁石とボルト等との吸着によりマグネットホルダーがソケットレンチ先端側へ移動しボルトやナット等を吸着保持するため、つば部とソケットレンチの端部との間に隙間を作らず操作性が良好となる。また、マグネットホルダーの原点位置をボルト頭の略最大厚さの位置よりもソケットレンチの先端側の位置とする場合においては、マグネットホルダーに内蔵された磁石によりボルト等を吸着保持する一方、ソケットレンチをボルトに押しつけボルトをねじ穴に螺着させる際、マグネットホルダーはボルト頭により押圧されソケットレンチ後端側へ移動する。
ここで、弾性体が無負荷状態にあるとは、マグネットホルダーが磁力を受けることなく弾性体によりソケットレンチに固定され、この弾性体に負荷がかかっていない状態にあることをいう。
【００１２】
本発明は、上記マグネットホルダーの原点位置がボルトの略最大厚さの位置にあり、最大厚さより薄いボルト頭を上記収容部へ挿入する時、マグネットホルダーに内蔵された磁石によりマグネットホルダーがソケットレンチ先端側へ移動可能であり、また上記収容部からのボルト頭等の取出し時、上記マグネットホルダーが上記原点位置に復帰可能であることを特徴とする。
【００１３】
また、本発明は、上記マグネットホルダーが、マグネットホルダーの軸方向に空洞部を有し、上記収容部にナットが挿入され、さらにボルトネジがナットヘ螺入されナットからボルトネジが突出するに伴い、ボルトネジがマグネットホルダーの空洞部に進入可能であることを特微とする。
【００１４】
このような構成とすることにより、ナットへボルトネジを螺入し、ナットからボルトネジが突出したとしても、ボルトネジがマグネットホルダーの空洞部に進入し、それによりボルトネジの先端部分がソケットレンチを押圧することがないため、ナットが収容部から外れるということがない。
【００１５】
本発明は、上記弾性体が、上記マグネットホルダーの外周を覆うように形成された、収縮可能なコイル状バネであることを特徴とする。
【００１６】
中空孔の内壁とマグネットホルダーの外表面との間にバネが固定されているため、マグネットホルダーを摺動させても、バネの離脱を防止することができる。
【発明の効果】
【００１７】
本発明に係るソケットレンチによれば、ナット等の鋼材のつば部がソケットレンチの開口端部に常に接触し、ナット等がソケットレンチから脱落しにくいので、ソケットレンチの操作性が向上する。また、ナットにボルトを螺入させる際、ナットからボルトネジの先端部分が突出するに伴い、マグネットホルダーがボルトネジの動きを吸収し、ボルトネジ先端部分が収容部の奧側端面を押圧しないため、ナットが収容部からはみ出すことがないので、ソケットレンチの操作性が向上する。
【発明を実施するための最良の形態】
【００１８】
以下本発明に係るソケットレンチの実施の形態を具体例をもとに説明するが、これらの具体例は例示するものであってこれらに限定するものではない。
【００１９】
（実施の形態１）
図１を参照して、本発明の実施の形態１に係るソケットレンチに関して説明する。
図１に示すように、ソケットレンチ１には、その先端部に、ボルト頭やナットを収容する収容部６を設けている。この収容部６の形状を、六角頭のボルトと対応するように六角形に形成することが好ましい。また、収容部６の奧側に、この収容部６と連通するように中空孔７を形成している。この中空孔７の形状は、如何なる形状でもよいが、実質的に円柱状であることが好ましい。この中空孔７には、マグネットホルダー２が挿入されており、このマグネットホルダー２は、ソケットレンチ１の軸方向に摺動可能である。
【００２０】
本実施の形態１に係るソケットレンチ１は、中空孔７の内表面に設けられた第１係止部３と、上記第１係止部３よりソケットレンチ後端側であって、上記マグネットホルダーの外表面に設けられた第２係止部４との間、及び第２係止部４と上記ソケットレンチ中空孔７奧側端部１１との間に、収縮可能なコイル状のバネＡ及びＢをそれぞれ設けている。
【００２１】
両方のバネＡ及びＢは、マグネットホルダー２の先端表面８がボルト等の最大厚さの位置となる点で釣り合っていることが好ましい。この最大厚さの位置とは、例えばボルト頭の下端に設けられたつば部５をソケットレンチ先端９に接触させた状態で、現在市場で入手可能なボルトの中で最大の厚さを有するボルト等を収容部６に挿入した場合にボルト頭の先端部分がある位置をいう。バネＡとバネＢとが釣り合った点を基本の設定位置（マグネットホルダーの原点位置）とすると、この原点位置は最大厚さの位置よりソケットレンチの先端側の位置にあっても良いし、又はソケットレンチ後端側の位置にあっても良い。この原点位置が最大厚さの位置よりソケットレンチの先端側の位置にある場合には、略最大厚さのボルトを収容部に挿入したとき、ボルト頭の先端部分によりマグネットホルダー２がソケットレンチ後端側へ押し込まれる。また、この原点位置が最大厚さの位置よりソケットレンチの後端側の位置にある場合には、略最大厚さのボルトを収容部に挿入したとき、ボルトとマグネットホルダー２に内蔵された磁石１０との吸着によりマグネットホルダー２がソケットレンチ先端側へ呼び込まれる。両方の場合において、ボルトを収容部６から取り外した時は、マグネットホルダー２は原点位置に復帰することができる。また、両方の場合において、例えばナットにボルトネジを螺入させ、ボルトネジの先端２０がナットから突出する場合は、マグネットホルダー２は、先端２０に押されて後退可能である。これにより、収容部６からナットが外れることがないため操作性が向上する。
【００２２】
また、上記のように、上下２段にバネが設けられた構成とすることにより、磁石による吸着によりマグネットホルダーの位置が移動する場合、マグネットの吸着力が小さくてもマグネットホルダーは作動可能である。即ち、上記のように上下２段にバネが設けられたソケットレンチでは、一方からのみバネ力の付勢を受けるものに比べ、作動開始が容易である。このことより、マグネットの磁力が弱いものでも吸着に関して同じ効力が発揮でき、コスト引き下げにも寄与するものである。
【００２３】
さらに、バネＡ及びＢは、収縮可能なコイル状バネであり、マグネットホルダー２の外表面に接するように設けることが好ましい。このように設けることにより、中空孔７の内壁とマグネットホルダー２の外表面との間にバネが固定され、マグネットホルダーを摺動させても、バネの離脱を防止することができる。
また、磁石１０は、マグネットホルダー２の先端部の表面８又は表面８付近内部に設けることが好ましい。
【００２４】
図４には、図２に示すような最大厚みより薄いナットを本実施の形態１に係るソケットレンチに挿入した場合を示している。この場合、マグネットホルダー２は、マグネットホルダー２に内蔵された磁石１０によりソケットレンチ先端９側に移動する。マグネットホルダー２がナットを吸着し保持するまでに移動する距離は大きい。また、図５には、図３に示すような厚みが大きいナット（最大厚さのナット）を上記ソケットレンチ１に挿入した場合を示している。この場合、マグネットホルダー２は殆ど移動しなくともナットを吸着し保持することができる。いずれの場合も、厚みが違うにも関わらず、つば部５は一定の位置、即ちソケットレンチの収容部の先端９に接触した状態で配置される。そのため、厚みが大きいナットを上記ソケットレンチに挿入した場合でも、つば部５がソケットレンチの端部９から離れることがないので、ナットがソケットレンチから外れ易いという問題を解消することができる。
【００２５】
図６は、ナットへのボルトネジの螺入時ナットからボルトネジが突出するに伴い、マグネットホルダーが軸方向奧側に後退している場合を示している。ボルトネジのナットへの螺入により、ボルトネジの先端２０がマグネットホルダー２を押圧するが、バネＢによりボルトネジの動きを吸収し、ナットが収容部６から外れることがない。そのため、良好な操作性を有するソケットレンチとすることができる。
【００２６】
（実施の形態２）
本発明の実施の形態２に係るソケットレンチについて、図７を参照して説明する。図７は、ソケットレンチ後端側にマグネットホルダー２がバネ付勢されるように、第１係止部３と第２係止部４との間にコイル状のバネＡを設けたソケットレンチ１を示している。図７に示すように、バネＡを１つのみ有する点が、実施の形態１に係るソケットレンチと異なるが、それ以外は実施の形態１の構成と同様である。
【００２７】
ソケットレンチの収容部６にボルト等を挿入した場合、マグネットホルダー２が、第１係止部３と第２係止部４との間に設けられたバネＡの付勢力に対抗してボルトに吸着されるように、バネＡの付勢力を磁石１０とボルトとの吸着力より小さく設定することが好ましい。
【００２８】
図１０には、図８に示すような、最大厚みより薄いボルト頭の厚みが小さいボルトを本実施の形態２に係るソケットレンチ１に挿入した場合を示している。また、図１１には、図９に示すような最大厚みのボルトを上記ソケットレンチに挿入した場合を示している。この場合、マグネットホルダーは殆ど移動しなくともナットを吸着し保持することができる。いずれの場合も、厚みが違うにも関わらず、つば部５は一定の位置、即ちソケットレンチの収容部の先端９に接触するように配置される。そのため、ボルト頭の厚みが大きいボルトを上記ソケットレンチに挿入した場合でも、つば部５がソケットレンチの端部９から離れることがないので、ボルトがソケットレンチから外れ易いという問題を解消することができる。
【００２９】
（実施の形態３）
図１２を参照して、本発明の実施の形態３に係るソケットレンチに関して説明する。
本実施の形態３に係るソケットレンチ１の構成は、上記実施の形態１に係るソケットレンチの構成と略同様であるが、実施の形態３に係るソケットレンチは、その軸方向に貫通する空洞部２１を有する点で異なる。
【００３０】
図１３は、図２に示すような最大厚みより薄いナットを本実施の形態３に係るソケットレンチに挿入し、ボルトネジにナットを螺入させている場合を示している。また、図１４は、図３に示すような厚みが大きいナット（最大厚さのナット）をソケットレンチに挿入し、ボルトネジにナットを螺入させている場合を示している。厚みが小さいナットを挿入した場合、マグネットホルダー２はナットへ吸着し移動するが、最大厚さのナットを挿入した場合は、マグネットホルダー２はナットを吸着するものの移動はしない。
【００３１】
ナットを収容部６に挿入した場合、図１３や図１４に示すようにつば部５をソケットレンチの端部９に接触させることができ、またボルトネジ２２のナットへの螺入時にナットから突出するボルトネジ２２がマグネットホルダー２内の空洞部２１に進入することにより、ナットがボルト頭収容部６から押し出されることがないため、当該ソケットレンチは操作性に優れる。
【００３２】
上記マグネットホルダー２において、空洞部２１とこの空洞部２１を周回するように形成されたリング状磁石２３との間に保護層２４を設けることが好ましい。図１５のように、保護層２４がないソケットレンチにおいては、ボルトネジ２２とリング状磁石２３とが直接接触するので、リング状磁石２３は破損しやすいが、図１３又は図１４に示すように、保護層２４をボルトネジ２２とリング状磁石２３との間に設けることにより、リング状磁石２３とボルトネジ２２との接触を無くしリング状磁石２３が破壊されるのを防止することができる。
【００３３】
（実施の形態４）
次に、図１６を参照して、本発明の実施の形態４に係るソケットレンチに関して説明する。図１６に示すように、マグネットホルダー２の外周に第２係止部４を設け、第２係止部４と中空孔奧側端部１１との間にコイル状のバネＢを設けている。これ以外の構成は、本実施の形態１に係るソケットレンチの構成と略同様である。
【００３４】
マグネットホルダーの端部８の位置がボルト頭の最小厚さの位置にくるようにマグネットホルダー２を配置しても良く、この場合略最大厚さのつば付ボルトの頭部を収容部６に挿入すると、マグネットホルダー２がボルト頭により押圧され、上記中空孔７内においてソケットレンチ後端側へ摺動される。
また、マグネットホルダーの端部８の位置がボルト頭の最大厚さの位置よりソケットレンチ後端側にくるようにマグネットホルダー２を配置しても良く、この場合略最大厚さのつば付ボルトの頭部を収容部６に挿入すると、マグネットホルダーが上記中空孔７内においてソケットレンチ先端側へ移動し、マグネットホルダー２内の磁石１０が、ボルトやナット等の鋼材を吸着する。この場合、マグネットホルダー２とバネＢの一方の端部とを接着剤等で固定しておくことが必要である。また、中空孔奧側端部１１とバネＢのもう一方の端部とを接着剤等で固定しておくことが必要である。
【００３５】
図１７は、図８に示すような最小厚さのボルトを図１６のソケットレンチのボルト頭収容部６に挿入した場合を示している。マグネットホルダーの端部８がボルト頭の最小厚さの位置となるようにマグネットホルダー２の位置を設定しているため、マグネットホルダー２は、殆ど移動しないが、マグネットホルダー２に内蔵された磁石１０によりボルトを保持する。
【００３６】
図１８は、図９に示すような最大厚さのボルトを図１６のソケットレンチのボルト頭収容部に挿入し、挿入されたボルトによりマグネットホルダー２が押圧されている場合を示している。ソケットレンチ１をボルトに押しつけた状態でボルトをボルト穴に螺着すれば、ボルトが収容部６から脱落することがない。
【図面の簡単な説明】
【００３７】
【図１】図１は、中空孔７の内表面に設けられた第１係止部３と、上記第１係止部３よりソケットレンチ後端側であって、上記マグネットホルダーの外表面に設けられた第２係止部４との間、及び第２係止部４と上記ソケットレンチ中空孔７奧側端部１１との間にコイル状のバネＢを設けたソケットレンチを示している。
【図２】図２は、最大厚さより薄いつば付ナットを示している。
【図３】図３は、最大厚さのつば付ナットを示している。
【図４】図４は、図２に示す最大厚さより薄いつば付ナットを図１のソケットレンチのボルト頭収容部に挿入した場合を示している。
【図５】図５は、図３に示す最大厚さのつば付ナットを図１のソケットレンチのバルト頭収容部に挿入した場合を示している。
【図６】図６は、ナットへのボルトネジの螺入時ナットからネジが突出するに伴い、マグネットホルダーが軸方向奧側に後退している場合を示している。
【図７】図７は、ソケットレンチ後端部側にマグネットホルダー２がバネ付勢されるように、第１係止部３と第２係止部４との間にコイル状のバネＡを設けたソケットレンチ１を示している。
【図８】図８は、最大厚さより薄いつば付ボルトを示している。
【図９】図９は、最大厚さのつば付ボルトを示している。
【図１０】図１０は、図８に示す最大厚さより薄いボルトを図６のソケットレンチのボルト頭収容部に挿入した場合を示している。
【図１１】図１１は、図９に示す最大厚さのつば付ボルトボルトを図６のソケットレンチのボルト頭収容部に挿入した場合を示している。
【図１２】図１２は、マグネットホルダーに空洞部を有するソケットレンチを示している。
【図１３】図１３は、図２に示す最大厚さより薄いナットを図１２のソケットレンチのボルト頭収容部に挿入した場合を示している。
【図１４】図１４は、図３に示す最大厚さのナットを図１２のソケットレンチのバルト頭収容部に挿入した場合を示している。
【図１５】図１５は、保護層を有さない従来型のソケットレンチを示している。
【図１６】図１６は、マグネットホルダーの外周に第２係止部を設け、第２係止部と中空孔奧側端部との間にコイル状のバネを設け、マグネットホルダーの端部８を、ボルト頭の最小厚さの位置となるように設定したソケットレンチを示している。
【図１７】図１７は、図８に示す最小厚さのボルトを図１６のソケットレンチのボルト頭収容部に挿入した場合を示している。
【図１８】図１８は、図９に示す最小厚さより厚いボルトを図１６のソケットレンチのボルト頭収容部に挿入し、ボルトによりマグネットホルダーが押圧されている場合を示している。
【符号の説明】
【００３８】
１  ソケットレンチ
２  マグネットホルダー
３  第１係止部
４  第２係止部
５  ボルト等のつば部
６  収容部
７  中空孔
８  マグネットホルダーの端部
９  ソケットレンチの端部
１０  磁石
１１  中空孔奧側端部
２０  ボルトネジ先端部
２１  空洞部
２２  ボルトネジ
２３  リング状磁石
２４  保護層
Ａ、Ｂ  バネ
【図１】
2006281427.tif 000003
【図２】
2006281427.tif 000004
【図３】
2006281427.tif 000005
【図４】
2006281427.tif 000006
【図５】
2006281427.tif 000007
【図６】
2006281427.tif 000008
【図７】
2006281427.tif 000009
【図８】
2006281427.tif 000010
【図９】
2006281427.tif 000011
【図１０】
2006281427.tif 000012
【図１１】
2006281427.tif 000013
【図１２】
2006281427.tif 000014
【図１３】
2006281427.tif 000015
【図１４】
2006281427.tif 000016
【図１５】
2006281427.tif 000017
【図１６】
2006281427.tif 000018
【図１７】
2006281427.tif 000019
【図１８】
2006281427.tif 000020